(57)【要約】【課題】従来の回転ドア装置では、その両側にはすぐ建物の固定された壁が存在していたので、回転ドア板３とその壁との間に人が挟まれ、怪我をしたり、子供の場合には死亡したりする事故が発生していた。【解決手段】回転ドア装置１における回転ドア板３を、ドア回転軸２に固定された固定部３１と、該固定部３１に対して回転方向とは反対方向に折曲自在に取り付けられた折曲部３２とから成る構造とした。そうすると、回転ドア板３と側壁４，５との間に人が挟まれた場合には、折曲部３２が回転方向とは反対方向に折曲するので、挟まれた人に大きな圧力がかかることはなくなり、重傷，死亡等の重大事故に至ることがないようになる。【選択図】図１
0003125665.tif 000002
【実用新案登録請求の範囲】
【請求項１】
一定方向に回転するドア回転軸と該ドア回転軸に等角度間隔に取り付けられた複数枚の回転ドア板とを具えた回転ドア装置において、
該回転ドア板の構造を、
縦方向の一方の縁部が前記ドア回転軸に固定された固定部と、
該固定部の縦方向の他方の縁部に、人の幅より大なる幅を有し、回転方向の側の面では復元接続具を用い、回転方向とは反対側の面では折曲接続具を用いることにより折曲自在に取り付けられた折曲部と
から成る構造とし、
該折曲部の回転方向の面に力を受けた場合には該折曲部が回転方向とは反対側に折曲され、受けない場合には前記固定部と一直線の状態を保つようにされている
ことを特徴とする回転ドア装置。
【請求項２】
一定方向に回転するドア回転軸と該ドア回転軸に等角度間隔に取り付けられた複数枚の回転ドア板とを具えた回転ドア装置において、
該回転ドア板の構造を、
縦方向の一方の縁部が前記ドア回転軸に固定され、縦方向の他方の縁部の下方部分に、人の幅より大なる幅を有し且つ人の高さより大なる高さを有する切欠部が設けられた固定部と、
該切欠部の縦方向縁部に、回転方向の側の面では復元接続具を用い、回転方向とは反対側の面では折曲接続具を用いることにより折曲自在に取り付けられた折曲部と
から成る構造とし、
該折曲部の回転方向の面に力を受けた場合には該折曲部が回転方向とは反対側に折曲され、受けない場合には前記固定部と一直線の状態を保つようにされている
ことを特徴とする回転ドア装置。
【考案の詳細な説明】
【技術分野】
【０００１】
本考案は、建物の出入口に設置される回転ドア装置に関するものである。
【背景技術】
【０００２】
多勢の人が出入りする近代的な建物においては、人の流れを円滑にするためや、ファッション的な観点から、回転ドア装置が設置されることがしばしばある。
図３は、従来の回転ドア装置の概要を説明する図である。図３において、１は回転ドア装置、２はドア回転軸、３は回転ドア板、４，５は側壁、６は子供である。
図３（１）は、回転ドア装置１の要部の斜視図である。回転ドア装置１の両側にある側壁４，５は、建物の内と外とを境える壁である。回転ドア装置１は、基本的にはドア回転軸２と複数枚（通常４枚）の回転ドア板３とから成っている。回転ドア板３の縦方向の一辺は、ドア回転軸２に固定されており、複数枚の回転ドア板３のなす角度は等しくされている（４枚の場合における角度は９０度）。図示してはいないが、ドア回転軸２には、回転力を生ずるためのモータ等の駆動装置が接続されている。
【０００３】
図３（２）は、回転ドア装置１を上から見下ろした図である。ドア回転軸２の回転により、回転ドア板３は一定方向（図では矢印Ａ方向）にゆっくりと回転している。出入りする人は、次々と回転して来る回転ドア板３の間に身体を入れ、回転速度に合わせて歩き、反対側へ出たところで回転ドア装置１から離脱する。
【考案の開示】
【考案が解決しようとする課題】
【０００４】
前記した従来の回転ドア装置には、ときどき回転ドア板と側壁との間に人が挟まれ、怪我をしたり死亡したりする事故が発生するという問題点があった。
図３（３）はその状況を説明する図である。回転ドア装置１を通過するには、先にも説明したように、先ず、次々と回転して来る回転ドア板３の間に、身体を入れなければならい。この動作は簡単なようであるが、慣れない者にとっては入り込むタイミングが取りにくく、意外とまごつくものである。縄跳びで、二人が一本の縄をグルグル回しているところに飛び込む場合、次に回って来る縄に引っ掛かりそうで、慣れないうちは飛び込むタイミングがうまく取れないのと同様である。
特に、回転ドア板３とそれが回転して行く方の側壁との間の隙間から入ろうとすると、該隙間はどんどんせばまって行くから、せばまる速度をよく計算しながら素早く入る必要がある。
【０００５】
ところが、回転ドア装置を利用した経験があまりない子供６などは、回転ドア板３の間に入り込むタイミングがうまく取れないことが多く、図示のように側壁４と回転ドア板３との間に挟まれてしまうことがあった。
打撲傷程度であればまだ軽傷で済むが、挟まれた箇所が指や腕などの場合は骨折などという重傷になることもある。また、高層の近代的な建物においては豪華な感じを出すため、１階の天井の高さが高くとってあることが多く、それに伴い回転ドア板３の高さも高くされ、重量も重いものとされる。重量が大だと回転による慣性力も大きく、簡単には停止しない。そのため、子供６を挟んだ場合、停止したとしても大きな圧力を子供６に加えた状態で停止することとなり、死亡事故にまで至ることがあった。
本考案は、このような問題点を解決することを課題とするものである。
【課題を解決するための手段】
【０００６】
前記課題を解決するため、本考案では、一定方向に回転するドア回転軸と該ドア回転軸に等角度間隔に取り付けられた複数枚の回転ドア板とを具えた回転ドア装置において、該回転ドア板の構造を、縦方向の一方の縁部が前記ドア回転軸に固定された固定部と、該固定部の縦方向の他方の縁部に、人の幅より大なる幅を有し、回転方向の側の面では復元接続具を用い、回転方向とは反対側の面では折曲接続具を用いることにより折曲自在に取り付けられた折曲部とから成る構造とした。
これにより、該折曲部の回転方向の面に力を受けた場合には該折曲部が回転方向とは反対側に折曲され、受けない場合には前記固定部と一直線の状態を保つようにされる。
【０００７】
また、一定方向に回転するドア回転軸と該ドア回転軸に等角度間隔に取り付けられた複数枚の回転ドア板とを具えた回転ドア装置において、該回転ドア板の構造を、縦方向の一方の縁部が前記ドア回転軸に固定され、縦方向の他方の縁部の下方部分に、人の幅より大なる幅を有し且つ人の高さより大なる高さを有する切欠部が設けられた固定部と、該切欠部の縦方向縁部に、回転方向の側の面では復元接続具を用い、回転方向とは反対側の面では折曲接続具を用いることにより折曲自在に取り付けられた折曲部とから成る構造としてもよい。
これにより、やはり、該折曲部の回転方向の面に力を受けた場合には該折曲部が回転方向とは反対側に折曲され、受けない場合には前記固定部と一直線の状態を保つようにされる。
【考案の効果】
【０００８】
本考案では、回転ドア装置における回転ドア板を、ドア回転軸に固定された固定部と、該固定部に対して回転方向とは反対方向に折曲自在に取り付けられた折曲部とから成る構造とした。そのため、回転ドア板と側壁との間に人が挟まれた場合には、折曲部が回転方向とは反対方向に折曲するので、挟まれた人に大きな圧力がかかることはなくなり、重傷，死亡等の重大事故に至ることがないようになる。
【考案を実施するための最良の形態】
【０００９】
以下、本考案の実施形態を図面に基づいて詳細に説明する。
（第１の実施形態）
図１は、本考案に係る回転ドア装置の第１の実施形態を説明する図である。符号は図３のものに対応し、３１は固定部、３２は折曲部、３３は復元接続具、３４は折曲接続具である。Ａは回転ドア板３の回転方向を示している。
図１（１）は回転ドア装置１の要部の斜視図であり、図１（２）は回転ドア装置１を上から見下ろした図である。
【００１０】
なお、本考案において復元接続具３３とは、伸ばされても元の位置へ復元する機能を有する接続具のことを言うものとする。その例としては、スプリング，ゴム等を主体とした接続具が挙げられる。また、折曲接続具３４とは、接続している両者を折曲状態の位置関係にし得る接続具のことを言うものとする。その例としては、蝶番とか、ゴムを主体とした接続具が挙げられる。
【００１１】
回転ドア板３がドア回転軸２に取り付けられて回転するという構造は従来と同じであるが、本考案では回転ドア板３を特殊な構造とした点が相違している。
即ち本考案の第１の実施形態では、回転ドア板３を縦方向に大きく２つに分け、固定部３１と折曲部３２とから成るものとしている。固定部３１の一方の縦方向縁部は、ドア回転軸２に固定され、他方の縦方向縁部には、折曲部３２が回転ドア板３の逆回転方向へ折曲自在となるよう接続される。折曲部３２の幅は、人の身体の幅より大なる幅とする。
即ち、固定部３１と折曲部３２とは、回転ドア板３の回転方向の面においては復元接続具３３で接続され、回転方向とは反対側の面においては折曲接続具３４で接続される。これにより、折曲部３２の回転方向の面に力を受けた場合には折曲部３２が回転方向とは反対側に折曲され、受けない場合には固定部３１と一直線の状態を保つよう保持される。
【００１２】
本考案による回転ドア板３は、正常の場合においては、図１（１），（２）に示すように、固定部３１と折曲部３２とは折曲せず、一直線になった状態で回転している。
しかし、回転していて、折曲部３２の前面（回転方向の面）が人や物に接触して力を受けると、復元接続具３３は伸ばされ、折曲接続具３４は折曲されるので、折曲部３２が回転方向とは反対の方向に折曲される。
折曲部３２の前面に受けている力が無くなると、復元接続具３３の作用により、折曲部３２は固定部３１と一直線となるよう元の位置に戻される。
【００１３】
図１（３）は、子供６が回転ドア板３と側壁４との間に挟まれた状態を、上から見下ろした図である。側壁４とで子供６を挟む相手となる回転ドア板３の部分というのは、回転ドア板３の周辺部分に当たる折曲部３２である。従って、折曲部３２の前面は子供６から力を受けることになるので、回転方向とは反対の方向（図のＢの方向）に折れ曲がる。
その結果、折曲部３２は子供６の身体を撫でるような形で回転して行くことになり、子供６に大きな圧力がかかることはない。
【００１４】
（第２の実施形態）
図２は、本考案の第２の実施形態を説明する図であり、符号は図１のものに対応している。図２（１）は回転ドア装置１の要部の斜視図である。
これは、高さが高い回転ドア装置１に適用される実施形態である。第１の実施形態と相違する点は、折曲部３２の高さを回転ドア板３の上端までの高さにするのではなく、人の身長よりやや高い程度の高さに留めたという点にある。即ち、回転ドア板３の上部は全て固定部３１とされているが、下部の内側は固定部３１とし、外側は折曲部３２とした。
【００１５】
図２（２）は、第２の実施形態で使用する固定部３１の形状を示す図である。３１Ｓは固定部３１の縦方向の一方の縁部であり、こちらをドア回転軸２に固定する。縁部３１Ｓの反対側の縁部の下方部分に、切欠部３５を設ける。この切欠部３５の幅は人の幅より大なる幅とし、高さは人の高さより大なる高さとする。
３５Ｓは切欠部３５の縦方向の縁部であるが、この縁部３５Ｓに折曲部３２を接続する。接続の仕方は第１の実施形態と同様である。即ち、図２（１）に示すように、回転方向の側の面では復元接続具３３を用い、回転方向とは反対側の面では折曲接続具３４を用いることにより、折曲自在に取り付ける。これにより、折曲部３２の回転方向の面に力を受けた場合には折曲部３２が回転方向とは反対側に折曲され、受けない場合には固定部３１と一直線の状態を保つよう保持される。
【００１６】
豪華な高層ビル等にあっては、１階の天井が高くしてあるものが多いが、そのような１階の入口の回転ドア装置の回転ドア板は、当然のことながら高さが高いものとなる。このような回転ドア装置に第１の実施形態を適用すると、次のような望ましくない点が出て来る。
（１）本考案の折曲部３２は、人や物に接触した場合に折曲させて安全を図る部分であるから、精々、人の身長よりやや高い程度の高さまであれば充分役目を果たしてくれる。従って、それ以上の高さにするのは無駄である。
（２）高い天井まである高さとすると折曲部３２の重量は大となり、それを折曲させるのに必要な力も大となるから、子供を挟んだ場合にかかる圧力が、子供にとっては過大になる恐れがある。
そこで、人の身長よりやや高い程度の高さまでの部分に、折曲部３２を設けるようにしたのが、第２の実施形態である。
【００１７】
図２（３）は、第２の実施形態の回転ドア装置１で、子供６が回転ドア板３と側壁４との間に挟まれた状態を、上から見下ろした図である。子供６に接触した折曲部３２の部分は、接触した子供６から受ける力により、回転方向とは反対の方向（矢印Ｂの方向）へ折曲するので、子供６には大きな圧力はかからず、怪我をしたりすることはない。
【図面の簡単な説明】
【００１８】
【図１】本考案の第１の実施形態を説明する図
【図２】本考案の第２の実施形態を説明する図
【図３】従来の回転ドア装置の概要を説明する図
【符号の説明】
【００１９】
１…回転ドア装置、２…ドア回転軸、３…回転ドア板、４，５…側壁、６…子供、３１…固定部、３１Ｓ…縁部、３２…折曲部、３３…復元接続具、３４…折曲接続具、３５…切欠部、３５Ｓ…縁部
【図１】
0003125665.tif 000003
【図２】
0003125665.tif 000004
【図３】
0003125665.tif 000005